(57)【要約】【課題】ハーフミラーの表面で、表示される画像の部分と鏡の部分とを組み合わせて、変化のある装飾具とする。【解決手段】透明板体に画像４を表示して、画像表示板１とする。外枠材１６内に画像表示板１、ハーフミラー１０、平面発光板６を配置して装飾具２０とする。平面発光板６は、６つに区画された発光板片７ａ、・・・、７ｆから構成し、独自に点滅を制御できる。画像表示板１の画像４は、各発光板片７ａ、・・・の位置に対応して、画像４ａ、・・・、４ｆに分割される。ハーフミラー１０の表面１１で、点灯した発光板片に対応した部分では画像４の一部が表示され、消灯した発光板片に対応した部分では鏡として機能し鏡像を表示できる。【選択図】図２
0003124815.tif 000002
【実用新案登録請求の範囲】
【請求項１】
透過性材料からなる板体に、定めた画像を表示可能として画像表示板を構成し、該画像表示板の表面側にハーフミラーを配置し、前記画像表示板の裏面側に、前記画像表示板の裏面の全部又は一部を覆うことができる平面発光板を配置してなり、前記ハーフミラーは前記平面発光板を点灯した部分で表面に対応する前記画像を表示でき、前記平面発光板を消灯した部分で表面が鏡として機能できることを特徴とする装飾具。
【請求項２】
画像表示板、ハーフミラー及び平面発光板を外枠材内に配置して装飾具を構成し、前記平面発光板を、複数部分の発光板片に区画し、前記各発光板片毎に点滅を制御し、前記各発光板片をＥＬパネルから構成した請求項１記載の装飾具。
【請求項３】
複数の画像を配置して該画像毎に区画を形成して画像表示板を構成し、
該画像表示板の区画に対応させて発光板片を設置して、各発光板片毎に点滅を制御して平面発光板を構成した請求項２記載の装飾具。
【考案の詳細な説明】
【技術分野】
【０００１】
この考案は、各種静止画・動画などの画像を表示して、通常の装飾具として使用できると共に、鏡としても使用できる装飾具に関する。
【背景技術】
【０００２】
従来、ハーフミラーを使用して、明るさを調節することにより、裏面側の装飾板を表示したり、装飾板を表示させずに鏡として機能させるミラー装置があった（特許文献１）。
【特許文献１】登録実用第３１０５２６２号
【考案の開示】
【考案が解決しようとする課題】
【０００３】
前記従来のミラー装置では、装飾板にある画像の全部を表示させる第一動作と、装飾板にある画像を全部表示させずに鏡として使用する第二動作とを選択できるのみであり、単純な機能しかなく、趣向性を発揮できない問題点があった。
【課題を解決するための手段】
【０００４】
然るに、この考案は、画像表示板の裏面の全部又は一部を覆う平面発光板を設置し、更には平面発光板を複数部分に区画して区画毎に点滅を制御したので、前記問題点を解決した。
【０００５】
即ちこの考案は、透過性材料からなる板体に、定めた画像を表示可能として画像表示板を構成し、該画像表示板の表面側にハーフミラーを配置し、前記画像表示板の裏面側に、前記画像表示板の裏面の全部又は一部を覆うことができる平面発光板を配置してなり、前記ハーフミラーは前記平面発光板を点灯した部分で表面に対応する前記画像を表示でき、前記平面発光板を消灯した部分で表面が鏡として機能できることを特徴とする装飾具である。また、前記において、画像表示板、ハーフミラー及び平面発光板を外枠材内に配置して装飾具を構成し、前記平面発光板を、複数部分の発光板片に区画し、前記各発光板片毎に点滅を制御し、前記各発光板片をＥＬパネルから構成した装飾具である。更に、前記において、複数の画像を配置して該画像毎に区画を形成して画像表示板を構成し、該画像表示板の区画に対応させて発光板片を設置して、各発光板片毎に点滅を制御して平面発光板を構成した装飾具である。
【０００６】
前記におけるハーフミラーとは、正面からの反射光と裏面側からの透過光を選択的に表示することができる材料を指し、裏面側を明るくした場合に、裏面側の透過光を表示でき、裏面側が暗い場合には、反射光を表示して鏡として機能できる。通常は、透明基板に薄い金属膜で覆って構成するが、従来の各種材料を使用することもできる。
【０００７】
また、前記における平面発光板は、装飾具の厚さを薄くできるので、できるだけ薄い材料が望ましい。ＥＬ（Eectro-Luminescence )パネルを使用すれば、薄くてかつ均一に画像表示板を照らすことができるので好ましいが、液晶のバックライトに使用するＬＥＤ等の各種発光体などを使用することもできる。
【０００８】
また、前記におけるハーフミラー、画像表示板、平面発光板、外枠材の形状は任意であり、絵画のような矩形の他、円形、楕円形、等任意である。また、装飾具として統一が取れていれば、ハーフミラー、画像表示板、平面発光板、外枠材の形状は一致させる必要は無い。例えば、外枠材の裏面側に写真盾のような支えを付けたり、手鏡のような握り手を設けたり、外枠材を箱のような形状とすることもできる。また、外枠材は、一般的な鏡や画像を表示する各種装飾具の機能を付加した構造・形状とすることもできる。
【考案の効果】
【０００９】
この考案は、画像表示板の表面側にハーフミラー板を配置し、裏面側に、前記画像表示板の裏面の全部又は一部を覆う平面発光板を配置して装飾具を構成したので、平面発光板の点灯により、ハーフミラーに、平面発光板の位置に対応させた画像を表示し、また消灯によりハーフミラーを鏡として鏡像を表示することができる。従って、ハーフミラーの表面に画像と鏡を混在させて変化に富んだ装飾具を構成できる。
【００１０】
また、平面発光板を、複数部分に区画し、区画毎に点滅を制御した場合には、画像の全体を表示させたり、一部の画像を表示させたり、変化に富んだ画像と鏡像の組合せができ、装飾具の利用範囲を広げることができる効果がある。また、画像表示板の複数箇所に画像を表示し、画像毎に区画を形成し、前記画像表示板の区画に対応させて、平面発光板を設置して、各区画毎に前記平面発光板の発光を制御した場合には、区画した画像を組み合わせて、更に鏡像とを組み合わせて、表示の変化を楽しむことができる効果がある。
【考案を実施するための最良の形態】
【００１１】
図１、図２に基づきこの考案の実施態様を説明する。
【００１２】
（１）  透明の硝子板又は透明の樹脂板からなる板体に画像４を表示して、画像表示板１とする。画像表示板１の表面２側に、ハーフミラー１０を配置して、画像表示板１の裏面３側に平面発光板６を配置する。画像表示板１には画像４として静止画像（ここではバラの花木）が表示されている。
【００１３】
平面発光板６は、ＥＬパネルからなる６つに区画された発光板片７ａ、７ｂ、・・・、７ｆから構成し、各発光板片７ａ、７ｂ、・・・、７ｆは独自に点滅を制御できる。
【００１４】
ハーフミラー１０、画像表示板１、平面発光板６とを重ねて、開口１７ａを有する正面枠１７と裏板１８とに挟んで一体化して、装飾具２０を構成する（図２）。各発光体片７ａ、７ｂ、・・・、７ｆに電源を供給する電源装置を装飾具２０内又は装飾具２０外に設置する。正面枠１７と裏板１８とを合わせて外枠材１６を構成する。また、正面枠１７にセンサー１４が取り付けてあり、装飾具２０の正面の近く（例えば50cm以下）に人が立った場合に反応して、各発光板片７ａ、７ｂ、・・・、７ｆの発光をオフにできる。
【００１５】
画像表示板１の画像４は、各発光板片７ａ、７ｂ、・・・、７ｆの位置に対応して、画像４ａ、４ｂ、・・・、４ｆに分割される。
【００１６】
（２）  この考案の装飾具２０は、例えば、壁などに、絵画等のように掲示して使用する。図示していない主電源スイッチをオンにすると、発光板片７ａ、７ｂ、・・・、７ｆが点灯して、ハーフミラー１０の裏面１２側を明るく照らすので、画像表示板１の画像４をハーフミラー１０の表面１１側に表示して、正面枠１７の開口１７ａからハーフミラー１０に表示された画像４を見ることができる。従って、絵画のような使用ができる。この場合、発光板片７ａ、７ｂ、・・・、７ｆの全部又は一部が消灯している場合には、対応する画像表示板１の部分の画像が表示されないので、各発光板片７ａ、７ｂ、・・・、７ｆの点滅を任意に制御して（例えばランダムに）、画像（静止画像）４ａ、４ｂ、・・・、４に動きを作ることもできる。
【００１７】
装飾具２０の前に人が近づくと、各発光板片７ａ、７ｂ、・・・、７ｆが一斉に消灯して、ハーフミラー１０は鏡として機能して、操作者（人）２２の鏡像２３を表示することができる。この場合にも、各発光板片７ａ、７ｂ、・・・、７ｆを点滅させれば、消灯した発光板片７ａ、７ｂ、・・・、７ｆに対応した部分が鏡として機能し、対応した鏡像２３ａ、２３ｂ、・・・、２３ｆが表示される（図１（ｂ））。この場合、点灯している発光板片７ａ、７ｂ、・・・、７ｆでは、画像の一部（画像４ａ、４ｂ、・・・、４ｆ）を表示させることができ（図示していない）、変化を楽しむことができる。
【００１８】
（３）  前記における画像表示板１の画像４は、板体に予め固定した静止画としたが、液晶パネルなどを使用して、画像表示板１をＰＣのモニター同様の構成として、外部からの操作や内蔵の制御装置により表示を任意に選択できる構成とすることもできる（図示していない）。
【００１９】
また、前記における発光板片７ａ、７ｂ、・・・、７ｆの区画は矩形で６つに区画したが、数及び形状は任意であり、同心円状、円グラフ状、モザイク状等とすることもできる（図示していない）
平面発光板６として、ＥＬパネルを使用したので、平面発光板６単独で画像表示板１の裏面３を均一に照射できるが、他の照明材料を使用した場合で、均一な照射が図れない場合には、平面発光板６と画像表示板１との間に、平面発光板６の光を拡散させる光拡散板２８を介在させることもできる（図２鎖線図示）。
【００２０】
また、前記において、センサー１４を使用したが、手動の点滅スイッチで表示手段を点滅させることもできる（図示していない）。
【００２１】
また、前記において、ハーフミラー１０、画像表示板１、平面発光板６を外枠材１６に配置して装飾具２０を構成したが、外枠材１６を省略することもできる。例えば、壁に形成した凹部内に、ハーフミラー１０、画像表示板１、平面発光板６を収容して装飾具２０を構成することもできる（図示していない）。
【実施例１】
【００２２】
図２、図３に基づいて、この考案の実施例を説明する。
【００２３】
（１）  透明材料からなる板体に画像（ここでは森の風景）４を表示して、画像表示板１とする。画像表示板１の表面２側にハーフミラー１０、裏面３側に平面発光板６を配置して、矩形の外枠材１６に収容して、装飾具２０を構成する（図２参照）。平面発光板６は、ＥＬパネルからなり、円形の発光板片７ａと、円形の周囲（矩形から円形を抜いた形状）の発光板片７ｂとに区画され、各発光板片７ａ、７ｂは電源回路により独自に点滅を制御できる（図３（ｃ））。画像４は、各発光板片７ａ、７ｂに対応して、画像４ａ、４ｂに区画される。
【００２４】
（２）  発光板片７ａ、７ｂを全部点灯させた場合には、画像表示板１の画像（森の風景）４がハーフミラー１０の表面１１側に表示される（図３（ａ））。発光板片７ａ、７ｂを全部消灯した場合には、画像表示板１の画像４は、ハーフミラー１０に表れず、ハーフミラー１０の表面１１側は全面が鏡として機能し、操作者２２の鏡像２３を表示できる（図１（ｂ）参照、図３（ｂ））。
【００２５】
また、中央の円形の発光板片７ａのみを消灯して、外周の発光板片７ｂを点灯した場合には、ハーフミラー１０の表面１１側では、円形の発光板片７ａに対応した部分のみが鏡となり鏡像２３ａを表示し（画像４ａに代わり鏡像２３ａが表示される）、他の部分は画像表示板１の画像４ｂが表示され、森の風景をバックにして自らの顔を鏡像２３ａとして表示させることができる（図３（ｂ））。よって、森林浴の雰囲気を味わうこともできる。
【００２６】
（３）  前記実施例において、外枠材１６にセンサー１４を取り付けて、人が近づいた場合に発光板片７ａ、７ｂを消灯して、ハーフミラー１０の全部又は一部を鏡として機能させることもできる（図３（ａ）（ｂ）鎖線図示１４。図１、図２参照）。
【００２７】
また、前記実施例において、課題を解決するための手段、実施態様に記載した他の手段を採用することもできる（図示していない）。
【実施例２】
【００２８】
図２、図４に基づきこの考案の他の実施例を説明する。
【００２９】
（１）  実施例１と同様に、透明材料からなる板体に５つの画像４ａ、４ｂ、・・・、４ｅを表示して、画像表示板１とする（図４（ｂ）。画像表示板１の表面２側にハーフミラー１０、裏面３側に平面発光板６を配置して、矩形の外枠材１６に収容して、装飾具２０を構成する（図２参照）。平面発光板６（発光板片）は、ＥＬパネルからなり、画像表示板１の５つの画像４ａ、４ｂ、・・・、４ｅに対応させて、５つの円形の発光板片７ａ、７ｂ、・・・、７ｅ及び残余（各円形の周囲）の発光板片７ｆを、配置して構成し、各発光板片７ａ、７ｂ、・・・、７ｆに区画される（図４（ｃ））。各発光板片７ａ、７ｂ、・・・、７ｆは電源回路により独自に点滅を制御できる（図４（ｃ））。
【００３０】
（２）  この装飾具２０も発光板片７ａ、７ｂ、・・・、７ｆを全部点灯させた場合には、画像表示板１の各画像４ａ、４ｂ、・・・、４ｅがハーフミラー１０の表面１１側に表示される（図４（ａ））。発光板片７ａ、７ｂ、・・・、７ｆを全部消灯した場合には、画像表示板１の画像４ａ、４ｂ、・・・、４ｅは、ハーフミラー１０に表れず、ハーフミラー１０の表面１１側は全体が鏡として機能し、操作者２２の鏡像２３を表示できる（図１（ｂ）参照。図４（ａ））。
【００３１】
また、任意の円形の発光板片７ａ、７ｂ、・・・、７ｅのみを消灯すれば、対応する画像４ａ、４ｂ、・・・、４ｅが消えて、対応する円形部分のみが鏡として機能する。また、円形の発光板片７ａ、７ｂ、・・・、７ｅをランダムに点灯・消灯を繰り返すように操作すれば、各画像４ａ、４ｂ、・・・、４ｅと鏡に映し出される鏡像２３ａ、２３ｂ、・・・、２３ｅ（自らの顔）が一体化できる。従って、例えば、各画像４ａ、４ｂ、・・・、４ｅに物語性を付与したり、アニメのキャラクター等で構成すれば、その物語やアニメとの一体化を得られ、変化に富んだ装飾具を構成できる。
【００３２】
（３）  他の実施例は、前記実施例１と同様である。
【実施例３】
【００３３】
図２、図５に基づき、この考案の他の実施例を説明する。この実施例は、装飾具２０全体の形状を円形として、手鏡として使用できる装飾具としたものである。
【００３４】
（１）  前記実施例１、２と同様に、透明材料からなる板体に画像４を表示して、画像表示板１とする（図５（ｂ）。画像表示板１は全体外観を円形として、中心の小円形部分に、画像４ａを配置し、その周囲のドーナツ形部分に、中心画像に関連した画像４ｂを配置する。また、画像４ｂは、角度９０度毎に、画像４ｂａ、４ｂｂ、４ｂｃ、４ｂｄに４つに区画される。画像表示板１の表面２側に円形のハーフミラー１０、裏面３側に円形の平面発光板６を配置して、円形の基体からなる外枠材１６に収容して、装飾具２０を構成する（図２参照）。外枠材の１６下端部に手で持てるよう握り部２６が連設され、装飾具２０は手鏡のような構成となっている（図５（ａ））。
【００３５】
また、平面発光板６は、ＥＬパネルからなり、画像表示板１の中心の画像４ａに対応した小円形の発光板片７ａの周囲に、ドーナツ状の画像に対応したドーナツ状の発光板片７ｂから構成し、ドーナツ状の発光板片７ｂは、画像４ｂａ、４ｂｂ、４ｂｃ、４ｂｄに対応して、発光板片７ｂａ、７ｂｂ、７ｂｃ、７ｂｄに区画される（図５（ｃ））。各発光板片７ａ、７ｂａ、７ｂｂ、７ｂｃ、７ｂｄは、スイッチ２５により、独自に点滅を制御できる。
【００３６】
（２）  装飾具２０は、スイッチ２５を操作して、発光板片７ａ、７ｂａ、７ｂｂ、７ｂｃ、７ｂｄを全部点灯させた場合には、画像表示板１の各画像４ａ、４ｂａ、４ｂｂ、４ｂｃ、４ｂｄがハーフミラー１０の表面１１側に表示される（図５（ａ））。また、スイッチ２５を操作して、発光板片７ａ、７ｂａ、７ｂｂ、７ｂｃ、７ｂｄを全部消灯した場合には、画像表示板１の画像４は、ハーフミラー１０に表れず、ハーフミラー１０の表面１１側は全体が手鏡として機能し、鏡像２３を表示できる（図１（ｂ）参照）。
【００３７】
また、小円形の発光板片７ａのみを消灯すれば、対応する画像４ａが消えて、対応する円形部分のみが鏡として機能し、鏡像２３ａが表示される。この場合、ドーナツ形の発光板片７ｂａ、７ｂｂ、７ｂｃ、７ｂｄは、点灯しているので、対応する画像４ｂａ、４ｂｂ、４ｂｃ、４ｂｄはハーフミラー１０の表面１１側に表示される。従って、例えば、小円形の像４ａとドーナツ形の画像４ｂａ、４ｂｂ、４ｂｃ、４ｂｄとに物語性を付与したり、あるいは小円形の画像４ａにアニメのキャラクターの大画像としドーナツ形の画像４ｂａ、４ｂｂ、４ｂｃ、４ｂｄをそのキャラクターの小さな画像の集合体とすれば、その物語やアニメとの一体化情を得られ、変化に富んだ装飾具２０を構成できる。
【００３８】
また、スイッチ２５により発光板片７ｂａ、７ｂｂ、７ｂｃ、７ｂｄをランダムに点滅させるように制御すれば、流れるように画像４ｂａ、４ｂｂ、４ｂｃ、４ｂｄが表示され、さらに変化を楽しむことができる。
【００３９】
（３）  前記実施例において、スイッチ２５で発光板片７ａ、７ｂａ、７ｂｂ、７ｂｃ、７ｂｄを操作したが、前記実施例のようにセンサー１４で消灯を操作することもできる（図示していない）。
【００４０】
また、他の実施例は、前記実施例１と同様である。
【図面の簡単な説明】
【００４１】
【図１】この考案の実施態様で、（ａ）は平面発光板を点灯させた場合の正面図、（ｂ）は平面発光板を消灯した場合の正面図である。
【図２】この考案の部材の構成を表す組み立て図である。
【図３】この考案の実施例で、（ａ）は平面発光板を全部点灯させた場合の正面図、（ｂ）は平面発光板の一部を点灯させた場合の正面図、（ｃ）使用する平面発光板の正面図である。
【図４】同じく他の実施例で、（ａ）は概略した正面図、（ｂ）は画像表示板の概略した正面図、（ｃ）は平面発光板の正面図である。
【図５】同じく他の実施例で、（ａ）は概略した正面図、（ｂ）は画像表示板の概略した正面図、（ｃ）は平面発光板の正面図である。
【符号の説明】
【００４２】
１  画像表示板
２  画像表示板の表面
３  画像表示板の裏面
４、４ａ、４ｂ、・・・、４ｆ  画像
６  平面発光板
７、７ａ、７ｂ、・・・、７ｆ  発光板片
１０  ハーフミラー
１１  ハーフミラーの表面
１２  ハーフミラーの裏面
１４  センサー
１６  外枠材
１７  正面枠（外枠材）
１８  裏板（外枠材）
２０  装飾具
２２  操作者（人）
２３、２３、２３ｂ、・・・、２３ｆ  鏡像
２５  スイッチ
２６  握り部
２８  光拡散板
【図１】
0003124815.tif 000003
【図２】
0003124815.tif 000004
【図３】
0003124815.tif 000005
【図４】
0003124815.tif 000006
【図５】
0003124815.tif 000007